Podtech/llm-jp-corpus-v4-ja_patent huggingface dataset:
(57)【特許請求の範囲】
【請求項１】
モーター７に固定した円形マグネット３とモーターの軸に取付けた回転アーム２をそなえ、
遠心力で前後に移動させ糸巻きプーリー４にモーターの回転力を伝達遮断するものであって、
モーター停止時には、
回転アーム２は円形マグネット３側に引き寄せられ糸巻きプーリー４はフリーになり、
モーター回転時には、
回転アーム２は遠心力により円形マグネット３側から糸巻きプーリー４側に移動し、そのピンと一体にさせる事を特長とするワカサギ釣り電動リール。
【発明の詳細な説明】
【技術分野】
【０００１】本発明は従来ある種々の電動リールのトラブルを解消し、構造が簡単で容易に使用できるようにしたものである。
【背景技術】
【０００２】従来はスイッチ１つで容易に巻き上げ降ろしの出来る電動リールはなかった。
【発明の開示】
【発明が解決しようとする課題】
【０００３】従来の電動リールでは水によるスリップと過負荷によるベルト切断のトラブルが多く発生し、釣りの最中に支障があった。
本発明は、この課題を解消するためのものである。
【課題を解決するための手段】
【０００４】モーター７本体に円型マグネット３とその軸に回転アーム２を取付けることでベルトを不要とし、構造を簡単にしたものである。
【発明の効果】
【０００５】構造を簡単にしたことでトラブルがなくなりモーターの伝動効率も向上し、電池の寿命が延びた。（単３アルカリ電池１．５Ｖ１本で１日）
また、電動リールの取り扱いが容易で、操作性が向上した。
【発明を実施するための最良の形態】
【０００６】［図３］に示すとおり、モーターと電池及びスイッチを一体化で収納するケースカバーに釣りザオを取り付け使用する。【０００７】［図３］において、モーター７を回転させると回転アーム２が、遠心力の働きによりマグネット３から離れ糸巻プーリー４のピン１に移動すると、同時にピンとアームが一体化になりプーリーに回転を与え釣糸８を巻上げることができる。
また、回転を停止すればアームはピンから離れ、プーリーは自由に回転し釣糸を下ろすことができる。
以上、スイッチ５の操作１つで簡単でトラブルがなくワカサギ釣りをできる
【図面の簡単な説明】
【０００８】
【図１】  本発明の側面図である。
【図２】  本発明の遠心力回転アームとマグネットの正面図である。
【図３】  本発明の使用状態を示す平面図である。
【符号の説明】
【０００９】  １  ピン
２  遠心力回転アーム
３  円型マグネット
４  糸巻プーリー
５  スイッチ
６  電池
７  モーター
８  釣り糸
９  釣りザオ
【図１】
0004904594.tif 000002
【図２】
0004904594.tif 000003
【図３】
0004904594.tif 000004
(57)【特許請求の範囲】
【請求項１】
釦の裏面を糸固定部を挟んで表側に向かい略Ｖ字形状に形成する事によって、該釦の端部を表側から押す事で釦ホールの該釦へのかけ外しが容易に出来る事を特徴とする釦。
【請求項２】
略卵様形状に形成する事により前記釦ホールに入れ易くした事を特徴とする請求項１に記載の釦。
【発明の詳細な説明】
【０００１】
【発明の属する技術分野】
本発明はかけ外しが容易な釦に属する。
【０００２】
【従来の技術】
昨今言われているユニバーサルデザインであるが、これは年齢、体格、人種、障害等にかかわらず、すべての人を豊かに、幸せにする事を目指したものである。そこで、その観点から従来から発表されている発明や考案を探して見たが、そのようなものは全く見当らない。
【０００３】
【発明が解決しようとする課題】
そこで本発明は年齢、体格、人種、障害等にかかわらず、すべての人を豊かに、幸せにする事を目指したユニバーサルデザインの商品であって、かけ外しが非常に容易である釦を提供する事を考えた。
【０００４】
【課題を解決するための手段】
本発明は以上の課題を解決するため、表側に向かい略Ｖ字形状に形成し、糸固定部の糸穴の位置の設定を中心からずらして、該糸固定部から離れた側の先端部を卵様形状に形成する事により、該釦を留める際の釦ホールへの挿入がやりやすく、挿入した後に卵様形状の該先端部を押すと該糸固定部に近い側の該端部がはね上がって該釦ホールに納められ、反対に外す時には該糸固定部に近い側の該端部を押せば、該端部が容易に該釦ホールを通過して、これにより該釦のかけ外しが押すという動作だけで済んで非常に容易である釦を発明した。
【０００５】
【発明の実施の形態】
以下、本発明のユニバーサル釦の実施例を説明する。ただし、これは言うまでもなく単に説明用のもので発明思想の制限又は限定を意味するものではない。
【０００６】
第１図は本発明のユニバーサル釦を示す斜視図。１はユニバーサル釦、１ａは糸固定部、１ｂは糸穴、１ｃは糸固定部に近い側の先端部、１ｄは糸固定部から離れた側の端部。
【０００７】
第２図は本発明のユニバーサル釦を生地に縫い付けた状態を示す斜視図。２は生地。２は糸、３ａは生地。
【０００８】
第３図は本発明のユニバーサル釦を示す長手方向の側面図。
【０００９】
第４図は本発明のユニバーサル釦を示す短手方向、糸固定部に近い側の端部から見た側面図。
【００１０】
第５図は本発明のユニバーサル釦を留めるために、糸固定部から離れた側の端部を釦ホールに通そうとした状態を示す説明図。３ｂは釦ホール、４は手指。
【００１１】
第６図は本発明のユニバーサル釦を留めるために、糸固定部に近い側の端部を釦ホールに対して通過させようとした状態を示す説明図。
【００１２】
第７図は形状が裏足釦である本発明の第２実施例を示す斜視図。５は釦本体、５ａは略卵様形状の釦端部、５ｂは裏足。
【００１３】
第８図は本発明の第２実施例において、略卵様形状の釦端部を立てて釦ホールに入れ易い状態を示す斜視図。
【００１４】
【発明の効果】
本発明のユニバーサル釦により、年齢、体格、人種、障害等にかかわらず、すべての人を豊かに、幸せにする事を目指したユニバーサルデザインの商品であって、押すという動作だけでほとんど釦のかけ外しが出来るために、手指に障害がある人であってもかけ外しが非常に容易である。
【図面の簡単な説明】
【図１】第１図は本発明のユニバーサル釦を示す斜視図。
【図２】第２図は本発明のユニバーサル釦を生地に縫い付けた状態を示す斜視図。
【図３】第３図は本発明のユニバーサル釦を示す長手方向の側面図。
【図４】第４図は本発明のユニバーサル釦を示す短手方向、糸固定部に近い側の端部から見た側面図。
【図５】第５図は本発明のユニバーサル釦を留めるために、糸固定部から離れた側の端部を釦ホールに通そうとした状態を示す説明図。
【図６】第６図は本発明のユニバーサル釦を留めるために、糸固定部に近い側の端部を釦ホールに対して通過させようとした状態を示す説明図。
【図７】第７図は形状が裏足釦である本発明の第２実施例を示す斜視図。
【図８】第８図は本発明の第２実施例において、略卵様形状の釦端部を立てて釦ホールに入れ易い状態を示す斜視図。
【符号の説明】
１  −ユニバーサル釦
１ａ−糸固定部
１ｂ−糸穴
１ｃ−糸固定部に近い側の先端部
１ｄ−糸固定部から離れた側の端部
２  −糸
３ａ−生地
３ｂ−釦ホール
４  −手指
５  −釦本体
５ａ−略卵様形状の釦端部
５ｂ−裏足
【図１】
0004904445.tif 000002
【図２】
0004904445.tif 000003
【図３】
0004904445.tif 000004
【図４】
0004904445.tif 000005
【図５】
0004904445.tif 000006
【図６】
0004904445.tif 000007
【図７】
0004904445.tif 000008
【図８】
0004904445.tif 000009
(57)【特許請求の範囲】
【請求項１】
仏りんを打ち鳴らすためのりん棒であって、棒状の把持部（２）と、該把持部（２）の基端に備える膨大状の打撃部（１）と、からなり、該打撃部（１）の上下方向中心より下側の一部、又は全部が、前記打撃部（１）のその他の部分及び前記把持部（２）と比して比重の大きな材質で構成されており、前記打撃部（１）の底部が凸形曲面状に形成されており、底部中央に水平面を有することを特徴とするりん棒。
【請求項２】
前記把持部（２）の先端に前記把持部（２）より直径の大なるつまみ部（３）を有することを特徴とする請求項１記載のりん棒。
【発明の詳細な説明】
【技術分野】
【０００１】
本発明は、仏りんを打ち鳴らすためのりん棒に関するものである。
【背景技術】
【０００２】
仏りんを打ち鳴らすためのりん棒は、形状が棒状であるため置き場所を確保するために様々な工夫がされてきた。例えば、文献１及び２のような仏りんに取り付けるりん棒置きが提案されている。また文献３においては、把持部端に基部台座を有し、打撃部を上に向けて安定直立するスタンド型りん棒が提案されており、狭い場所にも効率的に収納することができる。
【特許文献１】特開平７−２５０７５３号公報
【特許文献２】実開平７−７５７８号公報
【特許文献３】特許第３０１２８７２号公報
【発明の開示】
【発明が解決しようとする課題】
【０００３】
しかしながら、前記りん棒置きを使用する場合、りん棒を水平に寝かせて設置することになり、占有面積が大きいという欠点があった。また、前記スタンド型りん棒については、打撃部が上を向いているため把持部を掴みづらく、特に狭い場所におかれている場合には、最初に打撃部を掴んでから把持部を掴み直す必要があった。さらに、打撃部から運動エネルギーを対象の仏りんに与えて大きな音を出す構成上、打撃部の質量はある程度大きい方が望ましいが、打撃部の質量を大きくすると、縦置姿勢での安定性が悪くなるという問題があった。
【０００４】
本発明は、設置に際して占有面積が小さく、使用時には掴みやすく、且つ対象を打撃しやすいりん棒を提供することを目的とする。
【課題を解決するための手段】
【０００５】
本発明のうち請求項１記載の発明は、仏りんを打ち鳴らすためのりん棒であって、棒状の把持部と、該把持部の基端に備える膨大状の打撃部と、からなり、該打撃部の上下方向中心より下側の一部、又は全部が、前記打撃部のその他の部分及び前記把持部と比して比重の大きな材質で構成されており、前記打撃部の底部が凸形曲面状に形成されており、底部中央に水平面を有することを特徴とする。
【０００６】
請求項２記載の発明のように、把持部の先端に把持部より直径の大なるつまみ部を設ける構成としても良い。このように構成すると、つまみに指が掛かり、掴みやすくなる。
【発明の効果】
【０００７】
本発明のうち請求項１記載の発明によれば、打撃部の下側を比重の大きな材質で構成し、且つ打撃部の底部を凸形曲面状に形成することで、起き上がりこぼしのようにりん棒を垂直方向に立てるような復元力が働き、揺動しながら最終的に垂直方向で安定化する作用を得られる。揺動する周期は重心の位置や打撃部の形状により変化させることができる。このようにりん棒を構成することで、りん棒を床面等に置いた際に転倒することがなく、必ず直立させることができる。よって、設置の際の占有面積が小さく、また必然的に把持部が上向きになるので、使用時に掴みやすく、直立状態から頂部の把持部端を掴み、そのまま振り子のように打つことができ、非常に取り扱いに優れている上、把持部端は打撃部との距離が最も離れているので、ストロークを大きくして強く打撃することができる。また、打撃部の上下方向中心より下側の一部又は全部を把持部と比して比重の大きな材質で構成することで、りん棒全体の重心がより下方に位置し、直立時の安定性が高くなる。また、仏りんを打撃した際、対象に与えるエネルギーは質量に比例することから、打撃部の質量を増やすことでよりエネルギー効率が向上する。さらに、資源効率も向上することから材料を節減できる。なお、りん棒の重心位置と形状によって、ある程度以上傾斜させた場合には転倒するように設計することも可能であり、この場合は横置姿勢で設置可能である。また逆に、どのような姿勢になっても必ず直立するように設計することも可能である。さらに、凸形曲面状に形成した打撃部の底部中央に水平面を設けることで、揺動を早く収束させ、確実に垂直位置で静止させることができる。水平面を大きくすれば揺動は早く収束し、小さくすれば長く揺動させられる。
【０００８】
本発明のうち請求項２記載の発明によれば、把持部の先端に把持部よりも直径の大なるつまみ部を設けることで、把持部を掴みやすくなり、また使用中にりん棒が手から滑り落ちることを防ぐことができる。
【発明を実施するための最良の形態】
【０００９】
本発明のりん棒の具体的な構成について、各図面に基づいて説明する。
【００１０】
本りん棒は、図１及び図２に示すように、棒状の把持部２と、該把持部２の基端に備える膨大状の打撃部１と、からなり、打撃部１を下方にして安定直立するように、膨大状の打撃部１の一部は重量物１１にて構成され、また底部は凸形曲面状に形成され（曲面底部２１）、その曲面底部２１の中央に底部水平面３１を有する。また、把持部２の先端には把持部２より直径の大なるつまみ部３を有する。重量物１１を除く打撃部１と把持部２の素材としては、黒檀等の硬質の木材、樹脂、軽量金属等が好適であるが、それらに限定されるものではない。また、重量物１１の素材としては、真鍮等の金属が好適であるが、これも限定されるものではなく、りん棒全体に比して比重が大きければ良い。なお、打撃部１と把持部２とは一体成型であっても良いし、別部材を接合するものであっても良い。また、打撃部１と重量物１１とは木ネジ４１によって接合されるが、この接合方法はその他自由に選択できる。さらに、把持部２をより掴みやすくするために、把持部２の一部の直径を細く形成しても良い。
【００１１】
さらに他の実施形態として、重量物の一部又は全部を磁石で構成し、鉄等の強磁性体からなる敷き台等の上に直立させることも可能である。なお、重量物を強磁性体で構成し、敷き台を磁石で構成しても良い。
【図面の簡単な説明】
【００１２】
【図１】本発明のりん棒を示す正面図である。
【図２】図１の中心軸断面図である。ただし、各部品を分解した状態である。
【符号の説明】
【００１３】
１  打撃部
２  把持部
３  つまみ部
【図１】
0004904044.tif 000002
【図２】
0004904044.tif 000003
(57)【特許請求の範囲】
【請求項１】
使用時にカップ麺の横に置かれ、砂時計か支柱のどちらか、又は両方にはめ込れて上下にスライドする腕木状の板が、カップ麺の蓋を押さえることを特徴とする砂時計。
【発明の詳細な説明】
【技術分野】
【０００１】本発明はカップ麺に湯を注ぎ、麺を茹でる際に蓋がめくれるのを押さえると同時に、茹で上がりの時間を計る砂時計に関するものである。
【背景技術】
【０００２】
【特許文献１】特開２０００−６９９２４
【特許文献２】実用新案登録第３１０３４９７号
【特許文献３】実開平６−８６０９６
【特許文献４】実用新案出願公開  昭和６２−１３２９３５
【発明が解決しようとする課題】
【０００３】従来  カップ麺を茹でるには蓋の一部を剥がし、湯を注いで３分から５分程度待つが、その際蓋がめくれて熱気が逃げたり、時間が短すぎたり、長すぎたりして良好な茹で具合を得られないことがよくあった。
これを防ぐために前記文献１〜４の一部はすでに実用化されているが、いずれもカップ麺の蓋全体を覆うため形状が大きく、また砂時計を正確に１８０度回転させ、かつ固定するために構造も複雑でコスト高であった。
【課題を解決するための手段】
【０００４】これを解決するために、本発明は通常の砂時計にカップ麺の蓋の外周部分の１／３程度を押さえる腕木状の板１枚を追加するのみで構成し、カップ麺の上部ではなく横に置いて使用する。
時間を計る際は通常の砂時計と同様に、単純に天地を逆転させて行う。
【発明を実施するための形態】
【０００５】以下に図面と共に実施の形態を説明する。
図１は本体の斜視図で、カップ麺の蓋の外周部分の１／３程度のサイズの腕木状の板１には穴が明けられて砂時計２、支柱３のどちらか、又は両方にはめ込まれている。この穴は支柱などより一回り大きく、腕木状の板１は天板４にぶつかるまで自由に上下にスライドする。
【０００６】図２及び図３は平型のカップ麺での使用例を表し、本体はカップ麺の横の机上に自立しており、腕木状の板１は本体によって位置決めされ、自重により蓋を押さえつける。
図４及び図５は縦型のカップ麺での使用例を表し、本体は腕木状の板１と一緒にカップ麺に懸下していて、下側の天板４がカップ麺の横に当たることにより、回転して落下するのを止めている。
なお計時は通常の砂時計と同様に砂の落下によって行う。
【発明の効果】
【０００８】以上の様な構成によりコンパクトなサイズで、カップ麺の良好な茹で上がりを実現する事ができる。
【図面の簡単な説明】
【図１】本発明に係るカップ麺の蓋押さえアーム付き砂時計の斜視図
【図２】平型のカップ麺での使用例を表す斜視図
【図３】平型のカップ麺での使用例を表す側面図
【図４】縦型のカップ麺での使用例を表す斜視図
【図５】縦型のカップ麺での使用例を表す側面図
【符号の説明】１        腕木状の板
２        砂時計
３        支柱
４        天板
【図１】
0005093682.tif 000002
【図２】
0005093682.tif 000003
【図３】
0005093682.tif 000004
【図４】
0005093682.tif 000005
【図５】
0005093682.tif 000006
(57)【特許請求の範囲】
【請求項１】
ケース（８）と、このケース（８）に装着されて前面側に情報を表示する表示部（１）と、上記表示部（１）に隣接してケース（８）に回動可能に枢支された複数の扉（２）（３）と、相隣接する扉（２）（３）の間に形成される隙間（Ｓ）を覆うように各扉（２）（３）の裏面側に配置された遮光板（４）とを具備し、上記遮光板（４）は上記扉（２）（３）と略同軸に回動可能に枢支されると共に、上記各扉（２）（３）とマグネット（５）により着脱可能に係合していることを特徴とする表示装置。
【発明の詳細な説明】
【技術分野】
【０００１】
この発明は、表示装置に関するものである。
【背景技術】
【０００２】
各種情報を表示する表示装置、例えば液晶表示器では、バックライトが使用されている（特許文献１参照）。この表示器は、バックライト等で装置内が明るく、図５のように、ケース１０の前面に、表示部１１に隣接して、上下２枚の保守用扉１２、１３が設けられている。この場合には、両保守用扉１２、１３の間に形成される隙間Ｓから光が漏れ出すおそれがあるので、両保守用扉１２、１３の背面側の位置に、図６に示すように、隙間Ｓを覆うように固定型の遮光板１４を設ける構造が採用されている。この構造によれば、光の漏れ出しは防止できるが、表示装置内部の機器実装エリアが遮光板１４で分割されるため、大型の実装部品の取り外しや収納等の保守作業性が低下する。そこで、図７（ａ）（ｂ）に示すように、保守用扉１２と保守用扉１３との間に、回動可能な可動型の遮光板１４を設ける構造が実用に供されている。
【０００３】
【特許文献１】特開２０００−１３７４４３号公報
【発明の開示】
【発明が解決しようとする課題】
【０００４】
しかしながら、上記のように可動型の遮光板１４を設けた場合には、実装部品の寸法上の制約は解消されるが、ケース１０の前面開口部を全開にしようとすると、図７（ｂ）に示すように、両保守用扉１２、１３を開けた後、さらに、可動型の遮光板１４を開放する必要があり、保守作業時の作業性に難がある。
【０００５】
この発明は上記従来の欠点を解決するためになされたものであって、その目的は、確実に遮光できると共に、保守作業時の作業性に優れた表示装置を提供することにある。
【課題を解決するための手段】
【０００６】
そこでこの発明の表示装置は、ケース８と、このケース８に装着されて前面側に情報を表示する表示部１と、上記表示部１に隣接してケース８に回動可能に枢支された複数の扉２、３と、相隣接する扉２、３の間に形成される隙間Ｓを覆うように各扉２、３の裏面側に配置された遮光板４とを具備し、上記遮光板４は上記扉２、３と略同軸に回動可能に枢支されると共に、上記各扉２、３とマグネット５により着脱可能に係合していることを特徴としている。
【発明の効果】
【０００７】
この発明の表示装置によれば、遮光板４が可動型であり、全開動作をさせることができるので、機器実装エリアの制限を受けず、ケース８の内部を有効活用して、装置コンパクト化を図ることが可能である。また、扉２、３の開閉に順序が発生せず、どちらの扉２、３からでも開閉動作を行うことが可能であり、しかも扉２、３の開閉動作に、遮光板４が連動するので、扉２、３の開閉作業だけで遮光板４も開閉されるため、保守作業時に良好な作業性を得ることができる。
【発明を実施するための最良の形態】
【０００８】
次に、この発明の表示装置の具体的な実施の形態について、図面を参照しつつ詳細に説明する。図４に示すように、この表示装置は、ケース８を有し、このケース８の前面に、情報を表示する表示部（表示器）１が装着されている。また、この表示部１に隣接して上下一対の保守用扉２、３が装着されている。図１及び図２に示すように、各保守用扉２、３は、ケース１の外側方に回動可能に枢支されている。相隣接する上記各保守用扉２、３の間に形成される隙間Ｓを覆うように、各保守用扉２、３の裏面側に遮光板４が配置されている。
【０００９】
図３に示すように、遮光板４は、折曲形成した棒状の部材で、断面コ字状で底部を外側に向けて配置した遮光部４ａと、遮光部４ａから上下方向（外方）に延びる上下一対の取付部４ｂとを有するものである。上記遮光板４は、上記保守用扉２、３と略同軸に回動可能に枢支されている（図２参照）。そして、上記各保守用扉２、３の裏面側にマグネット５により着脱可能に係合している。
【００１０】
上記表示装置においては、図２（ａ）に示すように、上下両保守用扉２、３を閉鎖した状態においては、遮光板４はマグネット５により、両保守用扉２、３に保持された状態に維持される。この状態から、上方の保守用扉２を開方向に回動すると、図２（ｂ）及び図１に示すように、この保守用扉２は、遮光板４のマグネット５から外れて回動し、遮光板４はマグネット５により、残りの閉鎖状態の保守用扉３に保持された状態に維持される。そして、図２（ｃ）に示すように、両保守用扉２、３を開放した状態においては、遮光板４は、いずれか一方の保守用扉２、３、あるいは両保守用扉２、３に保持された状態となる。下側の保守用扉３を先に開放する場合も上記と略同じ動作をする。そして、両保守用扉２、３を開放した状態から、いずれか一方の保守用扉２を閉鎖方向に回動すると、遮光板４は、マグネット５を介して、閉動作している保守用扉２に係合して、他方の保守用扉３との係合が解除され、上記保守用扉２と共に閉動作する。その後、他方の保守用扉３を閉鎖する。
【００１１】
上記表示装置によれば、遮光板４が可動型であり、全開動作をさせることができるので、機器実装エリアの制限を受けず、ケース８の内部を有効活用して、装置コンパクト化を図ることが可能である。また、保守用扉２、３の開閉に順序が発生せず、どちらの保守用扉２、３からでも開閉動作を行うことが可能であり、しかも保守用扉２、３の開閉動作に、遮光板４が連動するので、保守用扉２、３の開閉作業だけで遮光板４も開閉されるため、保守作業時に良好な作業性を得ることができる。
【００１２】
以上にこの発明の表示装置の具体的な実施の形態について説明したが、この発明は上記実施の形態に限定されるものではなく、この発明の範囲内で種々変更して実施することが可能である。
【図面の簡単な説明】
【００１３】
【図１】この発明の実施の形態である表示装置の部分斜視図である。
【図２】上記表示装置の動作状態を示す説明図である。
【図３】上記表示装置の要部を示す断面図である。
【図４】上記表示装置の要部を示す部分平面図である。
【図５】従来例を示す部分平面図である。
【図６】従来例を示す部分平面図である。
【図７】従来例の動作説明図である。
【符号の説明】
【００１４】
１ 表示部
２ 保守用扉
３ 保守用扉
４ 遮光板
５ マグネット
【図１】
0005093432.tif 000002
【図２】
0005093432.tif 000003
【図３】
0005093432.tif 000004
【図４】
0005093432.tif 000005
【図５】
0005093432.tif 000006
【図６】
0005093432.tif 000007
【図７】
0005093432.tif 000008
(57)【特許請求の範囲】
【請求項１】
トラップケーシングで入口と弁室と出口を形成し、弁室を出口側に連通する排出通路を有する球形弁座部材を回転操作可能にトラップケーシングに取り付け、弁室内に球形弁座部材に離着座して排出通路を開閉する弁部材としてのフロートを配置したものにおいて、入口と球形弁座部材を連通する入口・弁座連通路を設け、球形弁座部材にＴ字状の排出通路を形成して、当該球形弁座部材を外部から回転操作するアクチュエータを取り付けて、入口・弁座連通路と出口側を連通して、排出通路を洗浄することができると共に、球形弁座部材の回転操作に対向する位置に、球形弁座部材の研磨材を取り付けたことを特徴とするフロート式スチームトラップ。
【発明の詳細な説明】
【技術分野】
【０００１】
本発明は、蒸気配管系で発生するドレンをフロートの浮上降下によって自動的に排出するフロート式スチームトラップに関し、特にフロートが開閉する排出通路の内面に付着した異物を洗浄できるものに関する。
【背景技術】
【０００２】
従来のフロート式トラップは、トラップケーシングで入口と弁室と出口を形成し、弁室の下部に弁室を出口側と連通する排出通路を形成し、排出通路を開閉するフロートを弁室内に配置し、排出通路内に外部から手動で進退操作可能な操作部材を配置して操作部材の進退により排出通路の内面に付着した異物を掃除するものである。
【０００３】
上記従来のフロート式トラップは、手動により操作部材を進退させるものであるために、排出通路の内面に付着した異物を洗浄するのに手間隙の掛かる問題点があった。
【特許文献１】実公昭４９−３６７４７号公報
【発明の開示】
【発明が解決しようとする課題】
【０００４】
解決しようとする課題は、簡単且つ確実に排出通路の内面に付着した異物を洗浄できるようにすることである。
【課題を解決するための手段】
【０００５】
本発明は、トラップケーシングで入口と弁室と出口を形成し、弁室を出口側に連通する排出通路を有する球形弁座部材を回転操作可能にトラップケーシングに取り付け、弁室内に球形弁座部材に離着座して排出通路を開閉する弁部材としてのフロートを配置したものにおいて、入口と球形弁座部材を連通する入口・弁座連通路を設け、球形弁座部材にＴ字状の排出通路を形成して、当該球形弁座部材を外部から回転操作するアクチュエータを取り付けて、入口・弁座連通路と出口側を連通して、排出通路を洗浄することができると共に、球形弁座部材の回転操作に対向する位置に、球形弁座部材の研磨材を取り付けたものである。
【発明の効果】
【０００６】
本発明は、球形弁座部材を外部から回転操作して、入口・弁座連通路と出口側を連通することにより、入口側の高圧流体、すなわち、ドレンとスチームの混合流体、あるいは、ドレンが排出されると高圧スチームのみ、が高速で排出通路を通って出口側へ流下するので、排出通路の内面に付着した異物を簡単・確実に洗浄することができるという優れた効果を生じる。更に、球形弁座部材の回転操作に対向する位置に研磨材を取り付けたことにより、球形弁座部材を回転操作するごとに研磨材で研磨することができ、球形弁座部材の外表面も研磨洗浄することができる。
【発明を実施するための最良の形態】
【０００７】
本発明のフロート式スチームトラップは、球形弁座部材にＴ字状の排出通路を形成するものであるが、スチームトラップが通常の作動によりドレンを排出通路から排出している排出方向とは反対方向の流れ方向を排出通路で発生することにより、いわゆる、逆洗することにより、排出通路をより確実に洗浄することができる。
【実施例１】
【０００８】
図１において、本体１と蓋２でトラップケーシングを形成し、内部に弁室４を形成する。本体１は入口５と入口・弁座連通路３と出口通路６と出口７を有し、入口５は入口・弁座連通路３及び弁室４の上部に連通する。入口５と出口７は同一軸上に形成する。
【０００９】
弁室４の下部にＴ字状の排出通路８を開けた球形弁座部材９を回転操作可能に配置する。本実施例においては、図示しないアクチュエータをトラップケーシングの外部に取り付けて、球形弁座部材９を自動的に回転操作する。球形弁座部材９は、図１に示すように排出通路８を出口通路６に開口し、排出通路８の通路端１０を弁室４内に開口し、排出通路８の通路端１１は研磨部材１２により閉塞状態で配置する。球形弁座部材９は、図示しないトラップケーシング外部に取り付けた回転ハンドル等により、図１の状態から９０度だけ時計方向へ回転すると、排出通路８が研磨部材１２で閉塞状態になると共に、通路端１１が入口・弁座連通路３に開口し、通路端１０が出口通路６に開口することができるものである。弁室４内に弁座部材９の弁室側端面に離着座して排出通路８、図１の場合は通路端１０を開閉する中空球形のフロート１３を自由状態で配置する。フロート１３が通路端１０を閉じた位置で当接するフロート座１４をフロート１３の下方に設ける。
【００１０】
図１において、入口５から流入したドレンの一部は入口・弁座連通路３内へ流下し、残余のドレンは弁室４内へ流下する。入口・弁座連通路３内へ流下したドレンは、球形弁座部材９によって出口７側へ流下することはなく、入口・弁座連通路３内を満たしたドレンは弁室４内へ溢流する。弁室４内に溜まったドレンの液面に応じてフロート１３が浮上降下して弁座部材９に離着座して排出通路８の通路端１０を開閉する。通路端１０が開けられると弁室４内のドレンが排出通路８と出口通路６を通して出口７に排出され、通路端１０が閉じられると弁室４内のスチームの漏出が防止される。
【００１１】
図１の状態から球形弁座部材９を９０度だけ時計方向へ回転すると、排出通路８を研磨部材１２で閉塞状態にすると共に、通路端１１を入口・弁座連通路３に開口し、通路端１０を出口通路６に開口して、入口・弁座通路３と出口７を、通路端１０，１１を介して連通することができる。このように、入口・弁座通路３と出口７を連通することによって、入口・弁座通路３及び入口５側の高圧ドレン及びスチームが、通路端１０，１１内を流下して排出通路８の全体を洗浄することができる。また、球形弁座部材９が回転する場合に、研磨部材１２で球形弁座部材９の外表面を研磨洗浄することができる。
【００１２】
図１の状態においては、球形弁座部材９の通路端１０から排出通路８側へドレンが流下するのであるが、球形弁座部材９を９０度だけ時計方向へ回転した場合は、通路端１１から通路端１０へドレン及びスチームを流下することができ、すなわち、通路端１０側を逆洗することができることとなって、より確実に排出通路８全体を洗浄することができる。
【図面の簡単な説明】
【００１３】
【図１】本発明のフロート式スチームトラップの断面図。
【符号の説明】
【００１４】
１  本体
２  蓋
３  入口・弁座通路
４  弁室
５  入口
７  出口
８  排出通路
９  球形弁座部材
１０  通路端
１１  通路端
１２  研磨部材
１３  フロート
【図１】
0004971111.tif 000002
(57)【特許請求の範囲】
【請求項１】
掴持桿本体（１）と芯材（２）から成り、該掴持桿本体（１）が、上記芯材（２）を挿入すると共にスリット（１ａ′）を開設した芯材挿入用孔（１ａ）と、ワイヤー挿設用穴（１ｂ′）を設けた吊用ブラケット（１ｂ）とを有し、上記芯材（２）が、シート材（Ｓ）の端縁部を巻き付けた状態で上記芯材挿入用孔（１ａ）に挿設されるように構成されたシート張装用掴持桿の端部同士を接続するための連結具であって、鞘部（４ａ）とコア部（４ｂ）から構成され、該鞘部（４ａ）が、上記コア部（４ｂ）を隙間（Ｇ）を隔てて収容する半弧状部（４ａ′）と、上記吊用ブラケット（１ｂ）を収容するブラケット収容部（４ａ″）とから構成され、上記隙間（Ｇ）および上記ブラケット収容部（４ａ″）の端面側から、上記シート張装用掴持桿の掴持桿本体（１）の端部を差し込むように構成したことを特徴とする連結具。
【請求項２】
前記コア部（４ｂ）を前記半弧状部（４ａ′）から軸方向に延出したことを特徴とする請求項１に記載の連結具。
【発明の詳細な説明】
【技術分野】
【０００１】
本発明は、例えば日陰シートなどのシート材の端縁部を掴持して張装するための長尺状の器具、すなわち、シート張装用掴持桿の連結具に関する。
【背景技術】
【０００２】
従来のシート材の端縁部を掴持する器具としては、管状体の外周に当接させ、シート材の周縁部を係止するための、弾性材で形成された係止具があった。（特許文献１参照）
【０００３】
しかしながら、上記従来の係止具は、管状体に弾性的に当接されているため、その切欠部が何等かの原因で弾性的に開いてしまうと、シート材が管状体から外れる虞があったり、また、係止具を弾性的に開いた状態で、管状体の外周に当接させる必要があり、取り付けが困難で手間取る等の問題点があった。
【特許文献１】特開２００１−２５４７０８号公報
【発明の開示】
【発明が解決しようとする課題】
【０００４】
本発明が解決しようとする課題は、シート材の端縁部を確実かつ堅固に掴持して張装することができ、簡単かつ迅速に掴持せしめることができるシート張装用掴持桿の連結具を提供することにある。
【課題を解決するための手段】
【０００５】
本発明の連結具は、掴持桿本体と芯材から成り、該掴持桿本体が、上記芯材を挿入すると共にスリットを開設した芯材挿入用孔と、ワイヤー挿設用穴を設けた吊用ブラケットとを有し、上記芯材が、シート材の端縁部を巻き付けた状態で上記芯材挿入用孔に挿設されるように構成されたシート張装用掴持桿の端部同士を接続するための連結具であって、鞘部とコア部から構成され、該鞘部が、上記コア部を隙間を隔てて収容する半弧状部と、上記吊用ブラケットを収容するブラケット収容部とから構成され、上記隙間および上記ブラケット収容部の端面側から、上記シート張装用掴持桿の掴持桿本体の端部を差し込むように構成したことを特徴とする。
【０００６】
また、本発明の連結具は、前記コア部を前記半弧状部から軸方向に延出したことを特徴とする。
【発明の効果】
【０００７】
本発明のシート張装用掴持桿の連結具は、シート張装用掴持桿の端部を確実かつ堅固に掴持することができ、簡単かつ迅速に連結することができるという利点がある。
【発明を実施するための最良の形態】
【０００８】
図１は、本発明の連結具により連結されるシート張装用掴持桿の一実施例を示すもので、１は掴持桿本体、２は芯材である。
【０００９】
上記掴持桿本体１は、２つの芯材挿入用孔１ａと吊用ブラケット１ｂを有する。該芯材挿入用孔１ａには、スリット１ａ′が開設されている。上記吊用ブラケット１ｂには、ワイヤー挿設用穴１ｂ′が適当な間隔で複数設けられている。
【００１０】
本実施例のシート張装用掴持桿は、以上のように構成されているので、これによりシート材Ｓの端縁を掴持させるには、図２に示すように、シート材Ｓの端縁を巻き付けた芯材２を、上記芯材挿入用孔１ａ内に軸方向から挿入すると共に、そのスリット１ａ′からシート材Ｓを延出せしめる。
【００１１】
また、上記吊用ブラケット１ｂのワイヤー挿設用穴１ｂ′には、サスペンダーワイヤーＷを挿通せしめて、掴持桿本体１を吊り下げながら、サスペンダーワイヤーＷに沿って移動できるようにしている。掴持桿本体１を移動させるには、例えば、開閉ワイヤー（図示せず）を上記吊用ブラケット１ｂに連結せしめて、引っ張るようにする。
【００１２】
図３は、上記ワイヤー挿設用穴１ｂ′に、取付ボルト３ａを介して滑車付き吊具３を取り付けて、滑車３ｂを上記サスペンダーワイヤーＷに転動自在に吊掛する、別の実施例を示すものである。本実施例によれば、掴持桿本体１を容易かつ軽く移動させることができる。
【００１３】
図４は、２本の掴持桿本体１の端部同士を接続するための連結具４を示すもので、鞘部４ａとコア部４ｂから構成されている。該鞘部４ａは、断面半円状のコア部４ｂを収容するための半弧状部４ａ′と、上記吊用ブラケット２ｂを収容するためのブラケット収容部４ａ″を有する。
【００１４】
上記コア部４ｂは、固定ネジ４ｃにより破線で示すように半弧状部４ａ′内に隙間Ｇを隔てて取付け固定される。この隙間Ｇに、上記掴持桿本体１が挿入できるようになっている。なお、コア部４ｂは半弧状部４ａ′から軸方向に延出するように構成されている。
【００１５】
上記連結具４は、以上のように構成されているので、掴持桿本体１の端部同士を接続するには、図５（Ａ）に矢印で示すように、一方の掴持桿本体１の端部を、連結具４の端面側から差し込み、図５（Ｂ）に示すように、一体的に接続する。
【図面の簡単な説明】
【００１６】
【図１】本発明の連結具により連結されるシート張装用掴持桿の一実施例を示す構成説明図である。
【図２】図１のシート張装用掴持桿によるシート材の掴持状態を示す断面図である。
【図３】滑車付き吊具の説明図である。
【図４】掴持桿本体の端部同士を接続する連結具の構成説明図である。
【図５Ａ】図４の連結具の作用説明図である。
【図５Ｂ】連結具による接続状態を示す斜視図である。
【符号の説明】
【００１７】
１ 掴持桿本体
１ａ 芯材挿入用孔
１ａ′スリット
１ｂ 吊用ブラケット
１ｂ′ワイヤー挿設用穴
２ 芯材
２ａ 芯材挿入用孔
２ａ′スリット
３ 滑車付き吊具
３ａ 取付ボルト
３ｂ 滑車
４ 連結具
４ａ 鞘部
４ａ′半弧状部
４ａ″ブラケット収容部
４ｂ コア部
４ｃ 固定ネジ
Ｓ シート材
Ｗ サスペンダーワイヤー
【図１】
0005066636.tif 000002
【図２】
0005066636.tif 000003
【図３】
0005066636.tif 000004
【図４】
0005066636.tif 000005
【図５Ａ】
0005066636.tif 000006
【図５Ｂ】
0005066636.tif 000007
(57)【特許請求の範囲】
【請求項１】
片段及びエンボス紙で形成したカバー(１)の端に延設した取手(２)の基部の上部及び下部を、部分的に切り込んで形成した固定片(３)を折り曲げて、取手(２)どうしの合せ状態を固定する事を特徴としたコップカバー。
【発明の詳細な説明】
【０００１】
【発明の属する技術分野】
本発明は、紙製の断熱用コップカバーに関する。
【０００２】
【従来の技術】
従来のコップカバーは、例えば特願平７−３９２８号コップペーパーホルダーで示す様に、切り込み方向が逆になった係止溝４と５どうしを噛合せて、取手２と３とを固定する構造のものであった。
【０００３】
【発明が解決しようとする課題】
従来の物は、係止溝どうしを噛合せる為に、取手どうしを大きくずらす必要があり、大きくずらさなければならない事から、ずらす為の緩みを設ける必要があり、コップにピッタリとフィットさせる事が難しいものであった。本発明では、従来技術の問題解決を目的とする。
【０００４】
【課題を解決するための手段】
カバーの端に延設した取手の基部を部分的に切り込んで延設した固定片３を折り曲げる事で、取手どうしをピッタリ合せた状態で固定する事ができる。
【０００５】
【発明の実施の形態】
本発明物は、エンボス紙及び片面段ボール紙を素材に用いて製造し、正面背面(前後)上下(天地)左右などの位置関係は、斜視図では取手を延設した方を側とする組立完了状態で正面からを基準にして表示し、展開図では図で示されるそのままの方向で表示し、山折谷折で記述する折曲げ方向は外側からを基準にして表示し、本発明物では、挿入型と側巻型との二形態が存在する。
【０００６】
挿入型使用状態右正面斜視図の図１に於いて、挿入型はコップ４を上から挿入する形式の物であり、カバー１の中央を袋折りし、袋折り箇所の中央を切り離して切離口５を形成し、切離口５の両側は切り離されていない事から袋折線６とし、前記切離口５にコップ４を上から挿入し、袋折線６の下部領域を取手２とするので取手２は二箇所有する事となり、取手２の下基部に二本の垂直な切込を入れ、切込の上端どうしを繋ぐ基部折線７を折り曲げる事で固定片３を重ねた状態でどちらか一方へ折り曲げて、取手２が重なった状態を固定する。
【０００７】
挿入型展開平面図の図２に於いて、正方形に近い縦長矩形のカバー１の中央を横方向に切り込んで切離口５を形成し、切離口５両端の未切り領域は袋折りされるので袋折線６とし、袋折線６を挟む上下の領域を取手２とし、取手２基部の上下端に固定片３を形成する。
【０００８】
側巻型使用状態右正面斜視図の図３に於いて、側巻型はコップ４の側面をカバー１で巻き、一週巻いて余った領域を取手２とする事から取手２は一箇所となり、取手２の基部に固定片３を形成し、固定片３の折り曲げによって取手２の合わさった状態を固定するのであり、固定片３の設ける箇所は、取手２基部の下部であっても上部であっても上下両方であっても良い。
【０００９】
側巻型展開平面図の図４に於いて、側巻型には挿入型の様な袋折線や切離口は必要なく、カバー１の中央をコップの他方の側に沿わせた後、カバー１の両端を一方の側方向に巻いて行き、カバー１両側の余った領域を取手２とし、取手２の基部に固定片３を切り込んで延設し、固定片３の折り曲げで、取手２の合わさった状態を固定する。
【００１０】
【発明の効果】
取手どうしが合わさった状態で固定片を折り曲げて固定するので、取手どうしをずらす必要が無く、取手どうしをずらせる為の弛みが必要ない事から、コップにフィットさせた状態で、カバーを装着できる。
【図面の簡単な説明】
【図１】挿入型使用状態右正面斜視図
【図２】挿入型展開平面図
【図３】側巻型使用状態右正面斜視図
【図４】側巻型展開平面図
【符号の説明】
１  カバー
２  取手
３  固定片
【図１】
0005042418.tif 000002
【図２】
0005042418.tif 000003
【図３】
0005042418.tif 000004
【図４】
0005042418.tif 000005
(57)【特許請求の範囲】
【請求項１】
５〜８０重量％の水と、１０〜６０重量％の架橋可能な不飽和鎖のポリマー基材と、１〜１５重量％の乳化剤とを含むタイヤ製造用の水系セメントであって、
該セメントが、所望の接着度合に応じた量のＴｉＯ2を含むことを特徴とするセメント。
【請求項２】
前記ＴｉＯ2を０.１から１５重量％含むことを特徴とする請求項１に記載のセメント。
【請求項３】
前記ポリマー基材が、天然ゴム、スチレン−ブタジエン、ブタジエン、ハロゲン化されていてもよいイソプレン−イソブテン共重合体であることを特徴とする請求項１又は２に記載のセメント。
【請求項４】
０.２〜１重量％の硫黄と、１〜２５重量％の補強性充填剤とを含むことを特徴とする請求項１〜３のいずれか一項に記載のセメント。
【請求項５】
前記補強性充填剤がカーボンブラック及び／又はシリカであることを特徴とする請求項４に記載のセメント。
【請求項６】
請求項１〜５のいずれか一項に記載のセメントを用いて作製されたことを特徴とするタイヤ。
【発明の詳細な説明】
【技術分野】
【０００１】
本発明は、タイヤ製造用の水系セメントに関する。
【背景技術】
【０００２】
タイヤの製造において、セメントは、通常、有機溶剤系である。この種のセメントは、主としてゴムが有機溶剤に溶解し易く、そのため、他のゴムと混和し、有機溶剤が気化して直ぐ、一部材を実際に形成できるため、接着性が高く、また、使い勝手が良い。
【０００３】
このタイプのセメントは、大量の有機溶剤を含むという大きな欠点を有しており、該有機溶剤は、公知のように、揮発性が高く、環境及び健康の両方、とりわけ有機溶剤と接触する作業者の健康に対して危険である。更に、気化に際して、溶剤は、空気と爆発性の混合物を形成するおそれがある。
【０００４】
これら総ての理由のため、最近の欧州指針は、タイヤの製造において有機溶剤の使用を大幅に低減する義務を課しており、それによって、複数のゴム層の正しい接着を確保するための代替策を創作することを、製造者に強いている。
【発明の開示】
【発明が解決しようとする課題】
【０００５】
そのため、タイヤ産業内においては、種々のゴムのタイヤ構成部品の十分な接着性を確保できる非有機溶剤セメントの必要性が感じられている。
【課題を解決するための手段】
【０００６】
本発明によれば、５〜８０重量％の水と、１０〜６０重量％の架橋可能な不飽和鎖のポリマー基材と、１〜１５重量％の乳化剤とを含むタイヤ製造用の水系セメントであって、該セメントが所望の接着度合に応じた量のＴｉＯ2を含むことを特徴とするセメントが提供される。
【発明を実施するための最良の形態】
【０００７】
前記ＴｉＯ2の量は、好ましくは、０.１から１５重量％の間の範囲である。
【０００８】
前記ポリマー基材は、好ましくは、天然ゴム、スチレン−ブタジエン、ブタジエン、ハロゲン化されていてもよいイソプレン−イソブテン共重合体である。
【０００９】
前記セメントは、好ましくは、０.２〜１重量％の硫黄と、１〜２５重量％の補強性充填剤とを含む。
【００１０】
前記補強性充填剤は、好ましくは、カーボンブラック及び／又はシリカである。
【００１１】
以下の例は、本発明をより明確に理解するための、単なる非限定的な例である。
【実施例】
【００１２】
異なる量のＴｉＯ2を用いて、本発明に従う３種のセメント（Ａ，Ｂ，Ｃ）を調製した。
【００１３】
当業者には明らかであろうが、天然ゴムに加えて、本発明に従うセメントは、共役ジエン類及び／又は脂肪族若しくは芳香族ビニルモノマー類を重合させて得られる架橋可能な不飽和鎖の如何なるポリマー基材を含んでもよい。例えば、使用可能なポリマー基材は、溶液又はエマルジョンの、天然ゴム、１,４シス-ポリイソプレン、ブタジエン、ハロゲン化されていてもよいイソプレン-イソブテン共重合体、ブタジエン-アクリロニトリル、スチレン-ブタジエン、及びスチレン-ブタジエン-イソプレン三元共重合体、並びにエチレン-プロピレン-ジエン三元共重合体を含む群から選択される。これらのポリマー基材は、個々に使用してもよいし、混合して使用してもよい。
【００１４】
より良く本発明の利点を評価するために、２種の比較セメントを調製した。即ち、第１のもの（Ｄ）は公知の有機溶剤系セメントであり、また、第２のもの（Ｅ）は本発明と同様の組成を有するもののＴｉＯ2を含まない。
【００１５】
本発明に従うセメントと比較セメントに対して、未硬化ゴム及び硬化ゴムの両方について接着試験を行った。
【００１６】
表１は、本発明に従うセメントの重量パーセントで表記した組成を示す。
【００１７】
【表１】
0005070113.tif 000002
【００１８】
表２は、比較セメントの重量パーセントで表記した組成を示す。
【００１９】
【表２】
0005070113.tif 000003
【００２０】
前記セメントは、公知の標準技術を用いて調製した。
【００２１】
実験室での試験
各セメントに対して、未硬化ゴム及び硬化ゴムの両方について試験を行った。表３は、ＡＳＴＭ基準Ｄ１８７６に従う接着試験結果を示す。
【００２２】
また、各セメントに対して、ＡＳＴＭ基準Ｄ５２８９に従うレオロジー特性を試験し、並びにＡＳＴＭ基準Ｄ６０８０に従って粘度を試験した。結果を表３に示す。
【００２３】
【表３】
0005070113.tif 000004
【００２４】
＊  ＡＳＴＭ基準１３８２に従い、１６０℃の一定温度で１０分間硬化させて、硬化ゴムを得た。
【００２５】
表３に示すように、本発明に従う水系セメントは、粘度及びレオロジー特性を実質変化させること無く、優れた接着性をもたらし、有機溶剤系タイプのセメントよりも接着性が一層優れていた。
(57)【特許請求の範囲】
【請求項１】
光ディスク駆動装置の光ピックアップレンズを清掃するクリーニングディスクであって、当該光ディスク駆動装置により回転される内側ディスク部分と、当該内側ディスク部分より外周側に位置して、当該内側ディスク部分に対して自由に回転可能な外側ディスク部分と、当該外側ディスク部分の、当該光ピックアップレンズと対面する側に設置される清掃部材と、当該外側ディスク部分に一端を固定され、外部から当該外側ディスク部分を回転可能にする紐部材とを具備することを特徴とするクリーニングディスク。
【発明の詳細な説明】
【技術分野】
【０００１】本発明は、光ピックアップレンズのクリーニングに関するものである。
【背景技術】
【０００２】光ピックアップレンズクリーニング用のディスクには従来から光ディスク及び光磁気ディスク等が用いられており、これらディスクのＴＯＣエリア近傍、又はプログラムエリア内周近傍に光ピックアップレンズ清掃用のクリーニング部材が少なくとも１つ設けられている。このクリーナーを再生装置で再生することにより、クリーニングディスクが回転し対物レンズとブラシが接しクリーニングを行う。しかしこのようにディスクが回転することでクリーニングする方式は、クリーニングディスクに設けられたブラシが対物レンズ以外のプレーヤ内部のメカ等にも接触する場合が考えられる、その結果メカ部の油や汚れがブラシに付着し、その汚れ等が今度は対物レンズに付くこととなり逆効果となる場合がある。これら従来製品の問題点を解決すべく、クリーニングディスクを再生装置内で回転させずにクリーニングする手段として、クリーニングディスク外周部の一部に手動によりディスクを左右に動かす為の紐などを設けたクリーナーが存在する。
【先行技術文献】
【特許文献】
【０００３】
【特許文献１】特開昭６０−４０５３７
【発明の概要】
【発明が解決しようとする課題】
【０００４】この方式は、プレーヤのディスク搬入出用トレー開口部より外に出ている紐を左右に動かしてクリーニンを行うので、ディスクを回転させることなくクリーニングが出来るが、現在市販されているプレーヤの多くは、プレーヤ内部へのホコリの侵入を防ぐ為にディスク挿入口に開閉式の蓋を設けたり、ディスク搬入出用トレー前部が蓋の役目もするような構造となっていて、機密性保持の為しっかりと閉じる構造となっている。その結果クリーニングディスクを左右に動かす為に設けてある紐が挟まれ非常に動かし難く、使用できる機種が大幅に限定されてしまう等の制約があった。
【課題を解決するための手段】
【０００５】本発明は、光ディスク駆動装置により回転される内側ディスク部分と、当該内側ディスク部分より外周側に位置して、当該内側ディスク部分に対して自由に回転可能な外側ディスク部分と、当該外側ディスク部分の、当該光ピックアップレンズと対面する側に設置される清掃部材と、当該外側ディスク部分に一端を固定され、外部から当該外側ディスク部分を回転可能にする紐部材とを具備することを特徴とするクリーニングディスクである。
【発明の効果】
【０００６】外側ディスク部分に一端を固定され、外部から当該外側ディスク部分を回転化能にする具備した紐部材を操作する事により光ピックアップの対物レンズのクリーニングが容易かつ効果的に出来る。
【発明を実施するための最良の形態】
【０００７】光ディスク駆動装置により回転される内側ディスク部分と、当該内側ディスク部分より外周側に位置して、当該内側ディスク部分に対して自由に回転可能な外側ディスク部分と、当該外側ディスク部分の、当該光ピックアップレンズと対面する側に設置される清掃部材と、当該外側ディスク部分に一端を固定され、外部から当該外側ディスク部分を回転可能にする紐部材とを具備し実現した。
【実施例】
【０００８】本発明の実施例を図１〜図６に依って説明する。プレーヤ７にディスクをセットする方式は、スロット８のローディングタイプ、トレー９のローディングタイプ等があり、前者は、車載用ＣＤ、ＤＶＤプレーヤ等スペースに制約がある装置に多く搭載され、後者は、据え置き形のＣＤ、ＤＶＤプレーヤに採用されている。前記記載の各プレーヤ７に光ディスク駆動装置により回転される中心孔３を設けた内側ディスク２部分と、当該内側ディスク２部分より外周側に位置して、当該内側ディスク２部分に対して自由に回転可能な外側ディスク１部分と、当該外側ディスク１部分の、当該光ピックアップレンズと対面する側に設置される清掃部材４と、当該外側ディスク１部分に一端を固定され、外部から当該外側ディスク部分を回転可能にする紐５、この先端に操作つまみ６を具備構成されたクリーニングディスクをセット（スロット８の場合は挿入、又はトレー９の場合はトレー９をイジェクトしクリーニングディスク１をセットし再度イジェクト。）すると、前記内側ディスク２に設けた中心孔３がスピンドルベース１０にセットされ同時にディスク押さえアーム１１が動作し該ディスク押さえアーム１１の先端部に設けたディスクパット１２が内側ディスク２を押さえプレーヤ７は動作状態に入る。【０００９】光ディスク駆動装置によりデータ読み込み動作をしている間スピンドルベース１０及び内側ディスク２は回転が持続するが、当該外側ディスク１部分に光ピックアップレンズと対面する側に設置される清掃部材４と一端を固定され、外部から当該外側ディスク１部分を回転可能にする紐５、この先端に設けた操作つまみ６を操作する事により清掃部材４が光ピックアップの対物レンズ１４をクリーニングする。
【図面の簡単な説明】
【００１０】
【図１】本発明の光ピックアップレンズクリーナーを示す平面図。
【図２】本発明の光ピックアップレンズクリーナーを示す正面図。
【図３】本発明の光ピックアップレンズクリーナーをスロットローディングタイププレーヤに使用した状態を示す実施例図。
【図４】本発明の光ピックアップレンズクリーナーをトレーローディングタイププレーヤに使用した状態を示す実施例図。
【図５】本発明の光ピックアップレンズクリーナーをトレーローディングタイプドアー付きプレーヤに使用した状態を示す実施例図。
【図６】本発明の光ピックアップレンズクリーナーのクリーニング動作を示す平面図。
【符号の説明】
【００１１】  １：外側ディスク  ２：内側ディスク  ３：中心孔  ４：清掃部材  ５：紐  ６：操作つまみ  ７：プレーヤ  ８：スロット  ９：トレー  １０：スピンドルベース  １１：ディスク押さえアーム  １２：ディスクパット  １３：ドアー  １４：対物レンズ
【図１】
0005070374.tif 000002
【図２】
0005070374.tif 000003
【図３】
0005070374.tif 000004
【図４】
0005070374.tif 000005
【図５】
0005070374.tif 000006
【図６】
0005070374.tif 000007